(57)【要約】【課題】顔情報を用いて、統合データベース中に、精度の高い付帯情報を付加することができ、統合データベースの信頼性を高める。【解決手段】顔特徴量Ａ１を主キーとし、かつ顔特徴量Ａ１及び顔画像データＡ２を共に含む個人情報Ｂを複数作成する顔レコード生成部１と、個人情報Ｂ中に顔特徴量Ａ１及び顔画像データＡ２で対応付けられた付帯情報Ａ３を書き込む付帯情報追記部２と、複数の個人情報Ｂの中で、顔特徴量Ａ１の類似度が一定値以上の個人情報Ｂを抽出する顔レコード抽出部３と、顔レコード抽出部３で抽出された個人情報Ｂを、顔特徴量Ａ１を基に統合して付帯情報Ａ３を含む統合データベース５を作成する顔レコード統合部４とを具備する。【選択図】図１
2019164660.tif 000002
【特許請求の範囲】
【請求項１】
顔特徴量を主キーとし、かつ顔特徴量及び顔画像データを共に含む個人情報を複数作成する顔レコード生成部と、
前記個人情報中に、顔特徴量及び顔画像データで対応付けられた付帯情報を書き込む付帯情報追記部と、
前記複数の個人情報の中で、顔特徴量の類似度が一定値以上の個人情報を抽出する顔レコード抽出部と、
前記顔レコード抽出部で抽出された個人情報から前記顔特徴量を基に統合して前記付帯情報を含む統合データベースを作成する顔レコード統合部と、を具備することを特徴とするデータ登録装置。
【請求項２】
前記顔レコード生成部では、複数の個人情報を比較のために並列配置するとともに、該個人情報の項目を対応させてデータ配列する特徴とする請求項１に記載のデータ登録装置。
【請求項３】
前記顔レコード抽出部は、並列配置された複数の個人情報について顔特徴量に基づきソートすることで再配列させることを特徴とする請求項１又は２のいずれか１項に記載のデータ登録装置。
【請求項４】
前記顔レコード抽出部では、並列配置された複数の個人情報について、顔特徴量に基づく類似度が設定値以上となる個人情報を抽出することを特徴とする請求項１〜３のいずれか１項に記載のデータ登録装置。
【請求項５】
前記顔レコード統合部では、前記顔レコード抽出部で抽出された類似度が高い複数の個人情報について、項目を対応させて１つの個人情報に統合した上で統合データベースに書き込むことを特徴とする請求項４に記載のデータ登録装置。
【請求項６】
前記個人情報には、顔特徴量及び顔画像データの他に、姓名、生年月日、性別、住所などの項目別の付帯情報が設けられることを特徴とする請求項１〜５のいずれか１項に記載のデータ登録装置。
【請求項７】
顔特徴量を主キーとし、かつ顔特徴量及び顔画像データを共に含む個人情報を複数作成する顔レコード生成段階と、
前記個人情報中に、顔特徴量及び顔画像データで対応付けられた付帯情報を書き込む付帯情報追記段階と、
前記複数の個人情報の中で、顔特徴量の類似度が一定値以上の個人情報を抽出する顔レコード抽出段階と、
前記顔レコード抽出段階で抽出された個人情報を、前記顔特徴量を基に統合して前記付帯情報を含む統合データベースを作成する顔レコード統合段階と、を具備することを特徴とするデータ登録方法。
【請求項８】
顔特徴量を主キーとし、かつ顔特徴量及び顔画像データを共に含む個人情報を複数作成する顔レコード生成段階と、
前記個人情報中に、顔特徴量及び顔画像データで対応付けられた付帯情報を書き込む付帯情報追記段階と、
前記複数の個人情報の中で、顔特徴量の類似度が一定値以上の個人情報を抽出する顔レコード抽出段階と、
前記顔レコード抽出段階で抽出された個人情報を、前記顔特徴量を基に統合して前記付帯情報を含む統合データベースを作成する顔レコード統合段階と、を具備することを特徴とするデータ登録プログラム。
【発明の詳細な説明】
【技術分野】
【０００１】
本発明は、避難所などの一時的に設置される場所において、個人のデータベースを迅速に作成することができるデータ登録装置、データ登録方法及びデータ登録プログラムに関する。
【背景技術】
【０００２】
データベースを作成する装置として特許文献１が知られている。
特許文献１に示されるデータ処理装置では、まず、検索部にて対象顔画像の特徴点を抽出し、抽出した特徴点を検索キーとして、顧客情報に格納されている顔情報とのマッチング処理を行い、類似度／一致度が基準値を超える顔情報を特定する。
【０００３】
その後、特許文献１のデータ処理装置では、検索により得られた顔情報と関連付けられている顧客情報のうち、明らかに同一個人のものと認識できる複数の顧客情報の名寄せ処理を行う。名寄せ処理に際しては、検索部で行う画像間の類似度判定の基準よりも厳しい第２基準値の下で画像間の類似度判定を行い、データを絞り込む。
また、名寄せ処理では、顔情報と関連付けられた人物画像又は顔画像と共に表示装置に表示させ、画像間の同一性を操作者の目視により確認して絞り込むこともできる。
【先行技術文献】
【特許文献】
【０００４】
【特許文献１】特開２０１４−７１６１０号公報
【発明の概要】
【発明が解決しようとする課題】
【０００５】
ところで、データベース作成技術の適用先となる避難所等においては、支援物資の配布や要支援者把握の観点から、避難者データベースを速やかに作成することが必要とされる。
このとき、避難者台帳に記載される個人は近隣の住民とは限らず、事前の情報で避難者データベースを作成することは困難である。また、避難所の状況は刻々と変化するために、避難者データベースに柔軟にデータ追加をする必要もある。
【０００６】
そして、避難者データベースの作成に際して、特許文献１に示される技術を用いることが考えられる。
しかしながら、特許文献１に示される技術は、顔の特徴点を検索キーとして、データベースに格納されている顔情報とのマッチング処理を行うだけのものであり、顔情報を用いて様々な付帯情報を追加することについて、具体的な手法が示されていない。
【０００７】
この発明は、上述した事情に鑑みてなされたものであって、顔情報を用いて、統合データベース中に、精度の高い付帯情報を付加することができ、統合データベースの信頼性を高めることができるデータ登録装置、データ登録方法及びデータ登録プログラムを提供する。
【課題を解決するための手段】
【０００８】
上記課題を解決するために、この発明は以下の手段を提案している。
本発明の第1態様に示されるデータ登録装置では、顔特徴量を主キーとし、かつ顔特徴量及び顔画像データを共に含む個人情報を複数作成する顔レコード生成部と、前記個人情報中に、顔特徴量及び顔画像データで対応付けられた付帯情報を書き込む付帯情報追記部と、前記複数の個人情報の中で、顔特徴量の類似度が一定値以上の個人情報を抽出する顔レコード抽出部と、前記顔レコード抽出部で抽出された個人情報から前記顔特徴量を基に統合して前記付帯情報を含む統合データベースを作成する顔レコード統合部と、を具備することを特徴とする。
【０００９】
本発明の第２態様に示されるデータ登録方法では、顔特徴量を主キーとし、かつ顔特徴量及び顔画像データを共に含む個人情報を複数作成する顔レコード生成段階と、前記個人情報中に、顔特徴量及び顔画像データで対応付けられた付帯情報を書き込む付帯情報追記段階と、前記複数の個人情報の中で顔特徴量の類似度が一定値以上の個人情報を抽出する顔レコード抽出段階と、前記顔レコード抽出段階で抽出された個人情報から前記顔特徴量を基に統合して前記付帯情報を含む統合データベースを作成する顔レコード統合段階と、を具備することを特徴とする。
【００１０】
本発明の第３態様に示されるデータ登録プログラムでは、顔特徴量を主キーとし、かつ顔特徴量及び顔画像データを共に含む個人情報を複数作成する顔レコード生成段階と、前記個人情報中に顔特徴量及び顔画像データで対応付けられた付帯情報を書き込む付帯情報追記段階と、前記複数の個人情報の中で、顔特徴量の類似度が一定値以上の個人情報を抽出する顔レコード抽出段階と、前記顔レコード抽出段階で抽出された個人情報から前記顔特徴量を基に統合して前記付帯情報を含む統合データベースを作成する顔レコード統合段階と、を具備することを特徴とする。
【発明の効果】
【００１１】
本発明では、付帯情報を含め、常に最新のデータ内容を有する統合データベースとすることができ、刻々と状況が変化する避難所で有効に利用することができる。
【図面の簡単な説明】
【００１２】
【図１】本発明に係るデータベース登録装置の最少構成を示す図であって、（Ａ）は全体図、（Ｂ）は個人情報を示す図、（Ｃ）は統合された個人情報を示す図である。
【図２】本発明の実施形態に係るデータベース登録装置の概略構成図である。
【図３】複数の個人情報からなるデータベースを示す図である。
【図４】顔特徴量の類似度が一定以上の個人情報を抽出する処理内容を示す図である。
【図５】複数の個人情報から作成された統合個人情報を示す図である。
【図６】他の実施形態に係るデータベース登録装置を示す図である。
【発明を実施するための形態】
【００１３】
本発明に係るデータベース登録装置１０の最少構成例について図１（Ａ）〜（Ｃ）を参照して説明する。
このデータベース登録装置１０は、図１（Ａ）に示すような顔レコード生成部１、付帯情報追記部２、顔レコード抽出部３及び顔レコード統合部４を有する。
【００１４】
顔レコード生成部１は、顔特徴量Ａ１を主キーとし、かつ顔特徴量Ａ１及び顔画像データＡ２を共に含む個人情報Ｂ（Ｂ１，Ｂ２，Ｂ３・・・）をプロパティデータとして作成するために設けられる。
付帯情報追記部２は、個人情報Ｂ中に、顔特徴量Ａ１及び顔画像データＡ２で対応付けた付帯情報Ａ３を書き込むために設けられる。
なお、この付帯情報追記部２では、既に登録されている顔特徴量Ａ１及び顔画像データＡ２が付された個人情報Ｂを、自身の顔画像と対応させながら読み出し、読み出した個人情報Ｂ中に付帯情報Ａ３を書込み入力するようにすると良い。
【００１５】
顔レコード抽出部３は、複数の個人情報Ｂの中で、顔特徴量Ａ１の類似度が一定値以上の個人情報Ｂを抽出するために設けられる。
顔レコード統合部４は、顔レコード抽出部３で抽出された個人情報Ｂを、顔特徴量Ａ１を基に統合して付帯情報Ａ３を含む統合個人情報Ｃを作成した後、統合個人情報Ｃを統合データベース５に記憶させるために設けられる。
【００１６】
以上のように構成された本発明のデータベース登録装置１０は、顔レコード生成部１にて、顔特徴量Ａ１を主キーとし、かつ該顔特徴量Ａ１及び顔画像データＡ２を共に含む個人情報Ｂ（Ｂ１，Ｂ２，Ｂ３・・・）を作成することができる（図１（Ｂ）参照）。
また、付帯情報追記部２にて、各個人情報Ｂ中に、顔特徴量Ａ１及び顔画像データＡ２で対応付けられた付帯情報Ａ３を書き込むことができる。
その後、顔レコード抽出部３にて、複数の個人情報Ｂにおいて顔特徴量Ａ１の類似度が一定量以上の個人情報Ｂを抽出した後、顔レコード統合部４にて、統合データベース５を作成することができる。
【００１７】
このとき、顔レコード統合部４では、顔レコード抽出部３で抽出した個人情報Ｂに、顔特徴量Ａ１を基に関連付けられた付帯情報Ａ３を含ませた統合個人情報Ｃを作成した後、統合個人情報Ｃからなる統合データベース５を作成する（図１（Ｃ）参照）。
【００１８】
すなわち、本発明のデータ登録装置１０では、顔特徴量Ａ１を主キーとして、該顔特徴量Ａ１及び顔画像データＡ２で対応付けられた付帯情報Ａ３を個人情報Ｂ中に書き込むことができるので、信頼性の高い統合データベース５を作成することができる。
また、本発明のデータ登録装置１０では、データ内容を逐次更新することで、常に最新の統合データベース５とすることができ、刻々と状況が変化する避難所で有効に利用することができる。
【００１９】
なお、本発明のデータ登録装置１０では、顔特徴量Ａ１を主キーとし、かつ顔特徴量Ａ１及び顔画像データＡ２を共に含む個人情報Ｂを複数作成する顔レコード生成段階と、個人情報Ｂ中に、顔特徴量Ａ１及び顔画像データＡ２で対応付けられた付帯情報Ａ３を書き込む付帯情報追記段階と、複数の個人情報Ｂの中で、顔特徴量Ａ１の類似度が一定値以上の個人情報Ｂを抽出する顔レコード抽出段階と、顔レコード抽出段階で抽出された個人情報Ｂを、顔特徴量Ａ１を基に統合して付帯情報Ａ３を含む統合データベース５を作成する顔レコード統合段階と、からなるデータ登録方法及びプログラムが採用されている。
また、各段階では、顔レコード生成部１、付帯情報追記部２、顔レコード抽出部３及び顔レコード統合部４に示したものと同様の処理が実行される。
【００２０】
（実施形態）
本発明の実施形態について図２〜図６を参照して説明する。
図２は実施形態のデータ登録装置１００の構成を示すブロック図である。
このデータ登録装置１００は、顔画像入力部１１０、顔特徴量抽出部１２０、データ入力部１３０、顔レコード生成部１４０、付帯情報追記部１５０、追記型データベース１６０、顔レコード抽出部１７０及び顔レコード統合部１８０を備える。
【００２１】
顔画像入力部１１０では、写真撮影などにより顔画像Ａ２を取得するものであって、固定型の端末の他、スマートフォン、タブレット端末なども使用される。
顔特徴量抽出部１２０は、顔画像入力部１１０から供給された顔画像Ａ２の各部特徴点（例えば、輪郭、目、鼻、口など）を分析することで、該顔画像Ａ２から数値化した顔特徴量Ａ１を抽出するために設けられる。
【００２２】
データ入力部１３０は、各種端末により外部から入力された個人情報Ｂを取り込むためのものであって、個人情報Ｂ中に、顔特徴量Ａ１及び顔画像データＡ２で対応付けられた付帯情報Ａ３を入力する。
なお、このデータ入力部１３０では、固定型の端末の他、スマートフォン、タブレット端末なども使用される。
また、データ入力部１３０では、既に登録されている顔特徴量Ａ１及び顔画像データＡ２が付された個人情報Ｂを、自身の顔画像と対応させながら読み出し、読み出した個人情報Ｂ中に付帯情報Ａ３を書込み入力すると良い。
【００２３】
顔レコード生成部１４０は、顔特徴量Ａ１を主キーとし、かつ顔特徴量Ａ１及び顔画像データＡ２を共に含む個人情報Ｂ（Ｂ１１，Ｂ１２，Ｂ１３・・・）を並列配置して、図３に示すようなデータベースＤＢ１として作成するために設けられる。
付帯情報追記部１５０は、図３に示されるデータベースＤＢ１の個人情報Ｂ中に、データ入力部１３０で入力された付帯情報Ａ３を書き込むために設けられる。
【００２４】
図３は生成されたデータベースＤＢ１の一例を示す表である。主キーフィールドには顔特徴量抽出部１２０によって取得された顔特徴量Ａ１が書き込まれ、顔画像データＡ１、その他、データ入力部１３０より入力された付帯情報Ａ３が個人情報Ｂとしてデータベース化される。
【００２５】
なお、この付帯情報Ａ３は、個人情報Ｂ中に顔特徴量Ａ１及び顔画像データＡ２で対応付けられて記憶される。
また、付帯情報Ａ３としては、図３に示すような、姓、名、生年月日、性別、住所、登録日時といった項目（符号ｄ１〜ｄ６で示す）の情報が示される。
また、付帯情報追記部１５０では、付帯情報Ａ３を含む個人情報Ｂ（Ｂ１１，Ｂ１２，Ｂ１３・・・）の更新がある毎に、当該個人情報Ｂを追記型データベース１６０に逐次記憶する。
【００２６】
顔レコード抽出部１７０は、複数の個人情報Ｂの中で、顔特徴量Ａ１の類似度が一定値以上の個人情報Ｂを抽出するために設けられる。
なお、顔レコード抽出部１７０は、並列配置された複数の個人情報Ｂについて顔特徴量Ａ１に基づきソートすることで再配列する（図４参照）。その後、顔レコード抽出部１７０では、再配列された個人情報Ｂの中で、符号Ｂ´で示すような顔特徴量Ａ１の類似度が例えば予め定めた一定値（例えば、９０％）以上の個人情報Ｂを抽出する。
【００２７】
顔レコード統合部１８０は、顔レコード抽出部１７０で抽出された個人情報Ｂを、顔特徴量Ａ１を基に統合して付帯情報Ａ３を含む統合個人情報Ｃを作成した後（図５参照）、統合データベース２００に記憶させるために設けられる。
なお、顔レコード統合部１８０では、統合個人情報Ｃの作成に際して、個人情報Ｂの項目を対応させるようにする。
【００２８】
以上のように構成された本実施形態のデータベース登録装置１１では、顔レコード生成部１４０において、顔特徴量Ａ１を主キーとし、かつ該顔特徴量Ａ１及び顔画像データＡ２を共に含む個人情報Ｂ（Ｂ１１，Ｂ１２，Ｂ１３・・・）を作成することができる。
また、付帯情報追記部１５０にて、各個人情報Ｂ中に、顔特徴量Ａ１及び顔画像データＡ２で対応付けられた付帯情報Ａ３を書き込むことができる。
その後、顔レコード抽出部１７０にて、複数の個人情報Ｂにおいて顔特徴量Ａ１の類似度が一定量以上の個人情報Ｂを抽出した後、顔レコード統合部１８０にて統合個人情報Ｃを作成し、これら統合個人情報Ｃを統合データベース２００に記憶させる。
【００２９】
このとき、顔レコード統合部１８０では、顔レコード抽出部１７０で抽出した個人情報Ｂに、顔特徴量Ａ１を基に関連付けられた付帯情報Ａ３を含ませることができ、付帯情報Ａ３を含有させた統合個人情報Ｃを作成することができる。
【００３０】
すなわち、上記データ登録装置１１では、顔特徴量Ａ１を主キーとして、該顔特徴量Ａ１及び顔画像データＡ２で対応付けられた付帯情報Ａ３を個人情報Ｂ中に書き込むことができるので、信頼性の高い統合個人情報Ｃを含む統合データベース２００を作成することができる。
また、上記データ登録装置１１では、顔特徴量Ａ１を主キーとして、該顔特徴量Ａ１及び顔画像データＡ２で対応付けられた付帯情報Ａ３を個人情報Ｂ中に、逐次書き込むことができるので、常に最新のデータ内容を有する統合データベース２００とすることができ、刻々と状況が変化する避難所で有効に利用することができる。
これにより、上記データ登録装置１１では、後で個人情報Ｂを活用する際は、目的に応じた検索方法にて、対象となる個人情報Ｂを抽出し活用することが可能となる。
【００３１】
（他の実施形態）
上記実施形態では、付帯情報追記部１５０にて、付帯情報Ａ３を含む個人情報Ｂ（Ｂ１１，Ｂ１２，Ｂ１３・・・）の更新がある毎に、当該個人情報Ｂを追記型データベース１６０に逐次記憶するようにした。
しかし、これに限定されず、付帯情報追記部１５０にて、顔特徴量Ａ１の類似度が一定以上の個人情報Ｂについてのみ追記型データベース１６０に記憶して、記憶処理で生じる負荷を低減させても良い。
【００３２】
また、上記実施形態では、データ登録装置１１内に追記型データベース１６０を設置したが、これに限定されず、図６に示されるように、追記型データベース１６０をデータ登録装置１１と分離した上で外部に設置し、該追記型データベース１６０を他の複数のデータ登録装置１１と接続しても良い。
【００３３】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００３４】
本発明は、避難所などの一時的に設置される場所において、個人のデータベースを迅速に作成することができるデータ登録装置、データ登録方法及びデータ登録プログラムに関する。
【符号の説明】
【００３５】
１  顔レコード生成部
２  付帯情報追記部
３  顔レコード抽出部
４  顔レコード統合部
５  統合データベース
１０  データ登録装置
１１  データ登録装置
１１０  顔画像入力部
１２０  顔特徴量抽出部
１３０  データ入力部
１４０  顔レコード生成部
１５０  付帯情報追記部
１６０  追記型データベース
１７０  顔レコード抽出部
１８０  顔レコード統合部
２００  統合データベース
Ａ１  顔特徴量
Ａ２  顔画像データ
Ａ３  付帯情報
Ｂ  個人情報
Ｃ  統合個人情報
【図１】
2019164660.tif 000003
【図２】
2019164660.tif 000004
【図３】
2019164660.tif 000005
【図４】
2019164660.tif 000006
【図５】
2019164660.tif 000007
【図６】
2019164660.tif 000008